【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
撮影モードの設定が可能なカメラに対して交換可能な撮影レンズであって、
撮影条件に関する情報を電子的に表示する表示手段と、
前記カメラに設定された撮影モードが第１の撮影モードである場合と前記第１の撮影モードとは異なる第２の撮影モードである場合とで前記表示手段における電力の消費量が異なるように前記表示手段を制御する制御手段と、を有することを特徴とする撮影レンズ。
【請求項２】
前記制御手段は、前記カメラに設定された撮影モードが前記第１の撮影モードである場合と前記第２の撮影モードである場合とで前記表示手段による前記情報の表示時間を異ならせることにより、前記表示手段における電力の消費量を異ならせること特徴とする請求項１に記載の撮影レンズ。
【請求項３】
前記制御手段は、前記カメラにおいて設定された撮影モードが前記第１の撮影モードである場合と前記第２の撮影モードである場合とで、前記表示手段に前記表示手段に前記情報の表示を停止させるタイミングを異ならせることにより、前記表示手段による前記情報の表示時間を異ならせることを特徴とする請求項２に記載の撮影レンズ。
【請求項４】
前記制御手段は、前記カメラにおいて設定された撮影モードが前記第１の撮影モードである場合は、前記表示手段に、前記情報の表示を開始させてから所定時間経過後に前記情報の表示を停止させることを特徴とする請求項３に記載の撮影レンズ。
【請求項５】
前記カメラにおいて設定された撮影モードが前記第２の撮影モードである場合は、前記制御手段は、前記制御手段が前記カメラから前記カメラの電源がオフであることを示す通知または前記カメラが省電力モードであることを示す通知を受けたことに応じて、前記表示手段に前記情報の表示を停止させることを特徴とする請求項３又は４に記載の撮影レンズ。
【請求項６】
前記制御手段は、前記カメラにおいて設定された撮影モードが前記第１の撮影モードである場合と前記第２の撮影モードである場合とで、前記表示手段に前記情報の表示を開始させるタイミングを異ならせることにより、前記表示手段による前記情報の表示時間を異ならせることを特徴とする請求項２乃至５のいずれか１項に記載の撮影レンズ。
【請求項７】
前記カメラにおいて設定された撮影モードが前記第１の撮影モードである場合は、前記制御手段は、前記カメラにおける撮影準備動作の開始を示す通知または撮影開始を示す通知を受けたことに応じて、前記表示手段に前記情報の表示を開始させることを特徴とする請求項６に記載の撮影レンズ。
【請求項８】
前記カメラにおいて設定された撮影モードが前記第２の撮影モードである場合は、前記制御手段は、前記カメラおいて前記第２の撮影モードが設定されたことを示す通知を受けたことに応じて、前記表示手段に前記情報の表示を開始させることを特徴とする請求項６又は７に記載の撮影レンズ。
【請求項９】
前記第１の撮影モードは光学ファインダを用いて静止画撮影を行う撮影モードであり、
前記第２の撮影モードは電子モニタを用いて静止画撮影を行う撮影モード、又は、動画撮影を行うモードであることを特徴とする請求項１乃至８のいずれか１項に記載の撮影レンズ。
【請求項１０】
カメラに対して交換可能な撮影レンズであって、
撮影条件に関する情報を電子的に表示する表示手段と、
前記カメラの種類に応じて、前記表示手段における電力の消費量が異なるように前記表示手段を制御する制御手段と、を有することを特徴とする撮影レンズ。
【請求項１１】
前記制御手段は、前記カメラの種類が光学ファインダを有するカメラである場合と、前記光学ファインダを有さないカメラである場合とで、前記表示手段に前記情報の表示を開始させるタイミングを異ならせることにより、前記表示手段における電力の消費量を異ならせることを特徴とする請求項１０に記載の撮影レンズ。
【請求項１２】
前記制御手段は、前記カメラの種類が光学ファインダを有するカメラである場合は、前記光学ファインダを有するカメラが撮影モードであることの通知を受けかつ前記光学ファインダを有するカメラに設定された撮影モードの種類の通知を受けてから、前記光学ファインダを有するカメラに設定された前記撮影モードの種類に応じたタイミングで前記情報の表示を開始させることを特徴とする請求項１１に記載の撮影レンズ。
【請求項１３】
前記制御手段は、前記カメラの種類が光学ファインダを有しないカメラである場合は、前記光学ファインダを有しないカメラの電源がオンであることを示す通知を受けたことに応じて前記表示手段に前記情報の表示を開始させることを特徴とする請求項１１又は１２に記載の撮影レンズ。
【請求項１４】
前記制御手段は、三脚を用いない撮影状態である場合と三脚を用いた撮影状態である場合とで、前記表示手段における電力の消費量が異なるように前記表示手段を制御することを特徴とする請求項１乃至１３のいずれか１項に記載の撮影レンズ。
【請求項１５】
前記制御手段は、前記カメラが三脚に接続されている場合は、前記カメラが三脚に接続されていない場合に比べて、前記表示手段における前記情報の表示時間を長くすることを特徴とする請求項１４に記載の撮影レンズ。
【請求項１６】
前記情報は、焦点距離を含むことを特徴とする請求項１乃至１５のいずれか１項に記載の撮影レンズ。
【請求項１７】
前記情報は複数種類あり、
前記制御手段は、前記情報の種類に応じて前記表示手段における電力の消費量が異なるように前記表示手段を制御することを特徴とする請求項１乃至１６のいずれか１項に記載の撮影レンズ。
【請求項１８】
カメラに対して交換可能な撮影レンズであって電子的に情報を表示する表示手段を有する撮影レンズのコンピュータに、前記表示手段を制御させるためのコンピュータプログラムであって、
前記コンピュータに、前記カメラに設定された撮影モードが第１の撮影モードである場合と前記第１の撮影モードとは異なる第２の撮影モードである場合とで前記表示手段における電力の消費量が異なるように前記表示手段をさせることを特徴とするプログラム。
【請求項１９】
カメラに対して交換可能な撮影レンズであって電子的に情報を表示する表示手段を有する撮影レンズのコンピュータに、前記表示手段を制御させるためのコンピュータプログラムであって、
前記コンピュータに、前記カメラの種類に応じて、前記表示手段における電力の消費量が異なるように前記表示手段を制御させることを特徴とするプログラム。
【手続補正２】
【補正対象書類名】明細書
【補正対象項目名】発明の名称
【補正方法】変更
【補正の内容】
【発明の名称】撮影レンズおよび表示制御プログラム
【手続補正３】
【補正対象書類名】明細書
【補正対象項目名】０００１
【補正方法】変更
【補正の内容】
【０００１】
本発明は、撮影レンズおよび表示制御プログラムに関する。
【手続補正４】
【補正対象書類名】明細書
【補正対象項目名】０００５
【補正方法】変更
【補正の内容】
【０００５】
本発明は、撮影レンズの表示手段を適切に制御することにより省電力化を図ることができるようにした撮影レンズおよび表示制御プログラムを提供する。
【手続補正５】
【補正対象書類名】明細書
【補正対象項目名】０００６
【補正方法】変更
【補正の内容】
【０００６】
本発明の一側面としての撮影レンズは、撮影モードの設定が可能なカメラに対して交換可能である。該撮影レンズは、撮影条件に関する情報を電子的に表示する表示手段と、前記カメラに設定された撮影モードが第１の撮影モードである場合と前記第１の撮影モードとは異なる第２の撮影モードである場合とで前記表示手段における電力の消費量が異なるように前記表示手段を制御する制御手段を有することを特徴とする。
【手続補正６】
【補正対象書類名】明細書
【補正対象項目名】０００７
【補正方法】変更
【補正の内容】
【０００７】
また、本発明の他の一側面としての撮影レンズは、カメラに対して交換可能である。該撮影レンズは、撮影条件に関する情報を電子的に表示する表示手段と、前記カメラの種類に応じて、前記表示手段における電力の消費量が異なるように前記表示手段を制御する制御手段とを有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
なお、撮影レンズのコンピュータに上記撮影レンズの動作を行わせるコンピュータプログラムとしての表示制御プログラムも、本発明の他の一側面を構成する。
【手続補正９】
【補正対象書類名】明細書
【補正対象項目名】００１０
【補正方法】変更
【補正の内容】
【００１０】
本発明にかかる撮影レンズは、カメラにおいて設定された撮影モードに応じて適切な表示制御を行うことができる。また、カメラの種類に応じて適切な表示制御を行うことができる。これらにより、撮影レンズおよび該撮影レンズに電源を供給するカメラの省電力化を図ることができる。
【手続補正１０】
【補正対象書類名】明細書
【補正対象項目名】００２０
【補正方法】変更
【補正の内容】
【００２０】
交換レンズ１００のレンズ鏡筒部の外周面のうちユーザが視認可能な位置には、ＬＣＤ（Liquid Crystal Display）や有機ＥＬ（Electro-Luminescent）素子等、情報を電子的に表示する表示素子１１２が配置されている。レンズマイコン１１０は、表示ドライバ１１６を介して表示素子１１２を制御し、該表示素子１１２に上述した焦点距離、被写体距離および被写界深度等の情報（撮影条件に関する情報）（以下、表示情報ともいう）を表示させることができる。また、レンズマイコン１１０は、表示素子１１２の表示と非表示を制御するための表示制御を行う。この際、後述するように、カメラ２００において設定（選択）された撮影モードに応じて異なる表示制御を行う。